(57)【要約】【課題】根域制限による分岐根の発生と早期出根を促し、機械移植に最適な緑化乳苗を、約４日間で育成するための育苗方法を提供する。【解決手段】催芽させた種籾を、ポット式育苗箱２に入れた鉱さいけい酸を約３０％以上含む床土Ｃの上に播種し覆土する。このポット式育苗箱２を、積み重ね、温風加温し、催芽籾を出芽させた後、約４０℃の亜リン酸を含有する養液に浸漬する。該養液が覆土まで浮浸した後、育苗槽１３内に水分調整材１４を介して水酸化第二銅を含有する溶液を含浸させた基布１５を敷設し、その上にポット式育苗箱２を載置する。さらに、蛍光灯を育苗期間中照射し、緑化する。【選択図】        図１
2004187540.tif 000002
【特許請求の範囲】
【請求項１】
約３０％以上の鉱さいけい酸を含有する床土で包まれた分岐根を有することを特徴とする緑化乳苗。
【請求項２】
種籾を温水で催芽させる工程と、この催芽した種籾（催芽種）を水切りする工程と、この水切りした催芽種を播種に適した水分まで調節する工程と、この水分調整した催芽種を約３０％以上の鉱さいけい酸を含む床土入り容器に播種して覆土する工程と、この播種した容器を積み重ねて出芽させる工程と、この播種した催芽種を出芽させた容器を、亜リン酸（ホスホン酸）を含む養液に浸漬し該養液を吸収させる工程と、この養液を吸収した容器を育苗槽内に設けられた水酸化第二銅を含有する基布上に載置する工程と、載置された容器内の出芽苗（前記催芽種が出芽したもの）を任意の期間育成緑化する工程とからなることを特徴とする緑化乳苗の育成方法。
【請求項３】
前記育苗槽内の底部に水分調整材を介して基布を敷設したことを特徴とする請求項２記載の緑化乳苗の育成方法。
【請求項４】
育苗箱は一列複数個で多数列のポット状苗室を備え、この育苗箱で育成したポット乳苗（乳苗根鉢体がポット形状の請求項１又は請求項２又は請求項３記載の緑化乳苗）を、該育苗箱ごと載置する手段と、該育苗箱を横一列ごとに取り出し部まで移動させる手段と、前記横一列のポット状苗室から一ポット毎に乳苗根鉢体を押し出す前記横一列のポット状苗室と同数の押し出し手段と、押し出された前記乳苗根鉢体を案内する押し出し手段毎に設けられた落下シューターとを備え、押し出されたポット乳苗を自重により落下させて、圃場に波状移植することを特徴とする乳苗用移植機。
【発明の詳細な説明】
【０００１】
【発明が属する技術分野】
本発明は、緑化乳苗の育苗方法とその移植機に関するものである。
【０００２】
【従来の技術】
従来は、ポット乳苗の育苗方法においては、ポット乳苗の根鉢体を凝固させるために、凝固溶液を培養土の上から灌水又は培養土上面に一時滞留させてポットの培養土内に浸透させていた（例えば、特許文献１参照。）。
【０００３】
【特許文献１】
特開平９−２９６１７０号公報。
【０００４】
【発明が解決しようとする課題】
従来技術では、凝固溶液を培養土の上から灌水又は培養土上面に一時滞留させてポットの培養土内に浸透させる方法であるために、凝固溶液を培養土に均一に浸透させることが実用上困難であり、根鉢体が崩壊しやすかったり、又は固まりすぎてポットから剥離できないという問題があった。
【０００５】
本発明は、以上のような従来技術の問題点に鑑みてなされたものであり、凝固溶液を使わず、土壌改良剤として使用されている鉱さいけい酸を床土と混合して乳苗の培土とすることと、水酸化第二銅で根域制限を行うことで、分岐根の発生と早期出根を促し、機械移植に最適な緑化乳苗を約４日間で育成するための育苗方法とその設備を提供することを目的とし、また、このような方法でポット式育苗箱で育成されたポット乳苗を、圃場に波状移植できる移植機を提供することを目的とするものである。
【０００６】
【課題を解決するための手段】
このため、本発明の緑化乳苗は、約３０％以上の鉱さいけい酸を含有する床土で包まれた分岐根を有することを第１の特徴とする。
【０００７】
また、本発明の緑化乳苗育成方法は、種籾を温水で催芽させる工程と、この催芽した種籾（催芽種）を水切りする工程と、この水切りした催芽種を播種に適した水分まで調節する工程と、この水分調整した催芽種を約３０％以上の鉱さいけい酸を含む床土入り容器に播種して覆土する工程と、この播種した容器を積み重ねて出芽させる工程と、この播種した催芽種を出芽させた容器を、亜リン酸（ホスホン酸）を含む養液に浸漬し該養液を吸収させる工程と、この養液を吸収した容器を育苗槽内に設けられた水酸化第二銅を含有する基布上に載置する工程と、載置された容器内の出芽苗（前記催芽種が出芽したもの）を任意の期間育成緑化する工程とからなることを第２の特徴とする。
【０００８】
また、請求項２記載の育苗槽内の底部に水分調整材を介して基布を敷設したことを第３の特徴とする。
【０００９】
さらに、本発明の乳苗用移植機は、育苗箱は一列複数個で多数列のポット状苗室を備え、この育苗箱で育成したポット乳苗（乳苗根鉢体がポット形状の請求項１又は請求項２又は請求項３記載の緑化乳苗）を、該育苗箱ごと載置する手段と、該育苗箱を横一列ごとに取り出し部まで移動させる手段と、前記横一列のポット状苗室から一ポット毎に乳苗根鉢体を押し出す前記横一列のポット状苗室と同数の押し出し手段と、押し出された前記乳苗根鉢体を案内する押し出し手段毎に設けられた落下シューターとを備え、押し出されたポット乳苗を自重により落下させて、圃場に波状移植することを第４の特徴とする。
【００１０】
【発明の実施の形態】
以下、本発明の実施の形態を図面に示す実施例に基づいて説明する。図１は、本発明に係る育苗槽の一実施例の説明図である。図２は、本発明に係る乳苗用移植機の一実施例を示す要部模式図であり、図３は、その一部平面図である。また、図４は、本発明に係る乳苗用移植機による移植状態を示す説明図である。
【００１１】
【実施例】
まず、本発明に係る乳苗育成方法について説明する。
本発明では、種籾を網袋に入れ、該網袋を約３２℃の温水中に浸漬し、前記種籾を催芽させる。この催芽した種籾を、前記網袋に入れたまま温水中から取り出し、約２９℃に設定された室内で温風除湿させ、播種に適した水分になるまで余分な水分を除去する。このことにより、催芽した種籾の温度の低下を防ぎ、生育活動を停滞することなく、播種の条件が整う。
【００１２】
以降の工程は、ポット式育苗箱での具体的な乳苗育成方法を例に取り説明する。図１に示すように、ポット式育苗箱２に、鉱さいけい酸を約３０％以上含む床土Ｃを入れ、その床土Ｃの上に前記催芽籾を播種し、無肥料の土で覆土する。播種されたポット式育苗箱２を温風室内に多段に積み重ね、約２９℃〜約３０℃で約２日間〜約２．５日間温風加温し、催芽籾を出芽させる。鞘葉が約５ｍｍ〜約８ｍｍの出芽を確認した後、このポット式育苗箱２を、約４０℃の亜リン酸（ホスホン酸）を含有する養液に、ポット式育苗箱２の３分の２程度の深さに浸漬する。ポット式育苗箱２の底部から含浸した前記養液が覆土まで浮浸したことを確認し、ポット式育苗箱２を育苗槽１３に載置する。この育苗槽１３は、底部に水分調整材１４が敷かれ、その上に水酸化第二銅を含有する溶液を含浸させた基布１５が敷設され、この基布１５上にポット式育苗箱２を載置する。
【００１３】
次いで、育苗槽１３の上方に蛍光灯を取り付け、育苗期間中照射する。育苗期間は約４日間で、この間一度の灌水の必要もなく、ポット乳苗（乳苗根鉢体４ａがポット形状の緑化乳苗）４が完成する。
【００１４】
このようにして、鉱さいけい酸を約３０％以上床土Ｃに混合することで、ポット式育苗箱２のポット３から根鉢体を押し出す際の押し出し抵抗を低減することと、水酸化第二銅で根域制限を行い、多数の分岐根の発生を促すと同時に出根を早めることにより、機械移植に最適な根鉢体４ａを形成する。また、水酸化第二銅溶液を含有する溶液を含浸させた基布１５を用い、これをポット３底部に完全に密着させることで、はみ出し根の発生が防止できる。これにより、根域制限による分岐根を有し、且つ、根鉢体４ａが鉱さいけい酸で包囲された機械移植に最適なポット乳苗（乳苗根鉢体４ａがポット形状の緑化乳苗）４が完成する。
【００１５】
次に、本発明に係る乳苗用移植機の一実施例について説明する。
【００１６】
図２、図３に示すように、乳苗用移植機１は、一列複数個で多数列のポット状苗室３ａを備えたポット式育苗箱２で育成したポット乳苗（乳苗根鉢体４ａがポット形状の緑化乳苗）４を、ポット式育苗箱２ごと載置する育苗箱載置台５と、このポット式育苗箱２を横一列毎に取り出し部１６まで移動させる育苗箱送り歯車６と、ポット式育苗箱２を移動させる際にポット式育苗箱２が育苗箱載置台５から外れることを防止するための育苗箱押さえ具５ａと、前記横一列のポット状苗室３ａから、一ポット毎に乳苗根鉢体４ａを押し出す前記横一列のポット状苗室３ａと同数の押し出し手段（根鉢体押し出しカム７、根鉢体押し出し棒８、シリンダー９）と、押し出された乳苗根鉢体４ａを後述の乳苗落下シューター１０まで案内する乳苗案内台１１と、さらにこの乳苗根鉢体４ａを案内して、自重により下方の圃場まで落下させる押し出し手段毎に設けられた乳苗落下シューター１０とからなっている。
【００１７】
育苗箱２の移動方向の両端には、乳苗用移植機１に設けられた育苗箱送り歯車６に係合可能なマージナル部２ａが備えられており、育苗箱送り歯車６を回転させることにより、育苗箱２が移動する。また、取り出し部１６近傍に設けられた育苗箱載置台ガイド５ｂには、根鉢体押し出し棒８が貫通可能で、ポット３底部の透孔に対応した透孔が設けられている。
【００１８】
次に、乳苗用移植機１のポット乳苗移植方法について説明する。
まず、ポット乳苗４が育苗されたポット式育苗箱２を、育苗箱載置台５に載置する。次に、このポット式育苗箱５を、育苗箱載置台５から外れないように載置台押さえ具５ａで押さえ、ポット式育苗箱２の両端に取り付けられたマージナル部２ａに係合された育苗箱送り歯車６を回転させ、所定の位置に移動させた後、根鉢体押し出しカム７を回転させ、シリンダー９を介して根鉢体押し出し棒８を取り出し部１６方向に摺動させる。
【００１９】
摺動した根鉢体押し出し棒８は、育苗箱載置台ガイド５ｂの透孔を貫通し、ポット３底部の開口部からポット３内部に挿入され、乳苗根鉢体４ａの底部を押し出す。乳苗根鉢体４ａの底部を押し出されたポット乳苗は、崩壊することなく乳苗受け台１１上を案内され、底部を根鉢体押し出し棒８に支持されたまま乳苗落下シューター１１の斜面に当接される。尚、この押し出し手段（根鉢体押し出しカム７、根鉢体押し出し棒８、シリンダー９）による乳苗根鉢体４ａの押し出しタイミングは、一ポット毎にずらされている。
【００２０】
この状態で、根鉢体押し出しカム８の回転とシリンダー９の作用により、根鉢体押し出し棒８が、前記と逆方向に摺動し、当接していた根鉢体４ａの底部から離反する。根鉢体押し出し棒８の支持を失ったポット乳苗４は、落下シュータ１０の斜面に案内されて、自重により落下し、圃場１２に移植される。
【００２１】
図４は、この移植状態の説明図である。乳苗用移植機１の根鉢体押し出し棒８の押し出しタイミングが一ポット毎にずらされているので、乳苗用移植機１の進行作用と相まって、図４（ａ）に示すように、ポット乳苗４は圃場１２に波状移植される。図４（ｂ）は、従来の移植機を利用して、苗を並木状移植した際の移植状態の説明図である。本発明に係る乳苗用移植機１では、ポット乳苗４を圃場に波状移植するため、圃場の有効利用ができ受光性が向上して、移植された乳苗は初期分けつが進み頑強な生育ができる。
【００２２】
【発明の効果】
以上説明したように、本発明に係る乳苗育成方法は、凝固溶液を使わず、土壌改良剤として使用されている鉱さいけい酸を床土と混合してポット乳苗の培土とすることと、水酸化第二銅で根域制限を行うことで、分岐根の発生と早期出根を促し、機械移植に最適な緑化乳苗を約４日間で育成するというすぐれた効果を有する。また、本発明の方法により育成された緑化乳苗を、本発明の乳苗用移植機で圃場に波状移植することにより、圃場の有効利用ができ、移植された緑化乳苗が初期分けつが進み頑強な生育ができるというすぐれた効果を有する。
【図面の簡単な説明】
【図１】図１は、本発明に係る育苗槽の一実施例を示す説明図である。
【図２】図２は、本発明に係る乳苗用移植機の一実施例を示す要部模式図である。
【図３】図３は、図２の一部平面図である。
【図４】図４は、本発明に係る乳苗用移植機による移植状態の一実施例を示す説明図である。。
【符号の説明】
１    乳苗用移植機
２    ポット式育苗箱
２ａ  マージナル部
３    ポット
３ａ  ポット状苗室
４    ポット乳苗
４ａ  乳苗根鉢体
５    育苗箱載置台
５ａ  育苗箱押さえ具
５ｂ  育苗箱載置台ガイド
６    育苗箱送り歯車
７    根鉢体押し出しカム
８    根鉢体押し出し棒
９    シリンダー
１０    乳苗落下シューター
１１    乳苗案内台
１２    圃場
１３    育苗槽
１４    水分調整材
１５    基布
１６    取り出し部
Ｃ    床土
【図１】
2004187540.tif 000003
【図２】
2004187540.tif 000004
【図３】
2004187540.tif 000005
【図４】
2004187540.tif 000006
【手続補正書】
【提出日】平成15年4月16日(2003.4.16)
【手続補正１】
【補正対象書類名】明細書
【補正対象項目名】特許請求の範囲
【補正方法】変更
【補正の内容】
【特許請求の範囲】
【請求項１】
約３０％以上の鉱さいけい酸を含有する床土で包まれた分岐根を有することを特徴とする緑化乳苗。
【請求項２】
種籾を温水で催芽させる工程と、この催芽した種籾を水切りする工程と、この水切りした催芽種を播種に適した水分まで調節する工程と、この水分調整した催芽種を約３０％以上の鉱さいけい酸を含む床土入り容器に播種して覆土する工程と、この播種した容器を積み重ねて出芽させる工程と、この播種した催芽種を出芽させた容器を、亜リン酸を含む養液に浸漬し養液を吸収させる工程と、この養液を吸収した容器を育苗槽内に設けられた水酸化第二銅を含有する基布上に載置する工程と、載置された容器内の出芽苗を任意の期間育成緑化する工程とからなることを特徴とする緑化乳苗の育成方法。
【請求項３】
前記育苗槽内の底部に水分調整材を介して基布を敷設したことを特徴とする請求項２記載の緑化乳苗の育成方法。
【請求項４】
育苗箱は一列複数個で多数列のポット状苗室を備え、この育苗箱で育成したポット乳苗を、該育苗箱ごと載置する手段と、該育苗箱を横一列ごとに取り出し部まで移動させる手段と、前記横一列のポット状苗室から一ポット毎に乳苗根鉢体を押し出す前記横一列のポット状苗室と同数の押し出し手段と、押し出された前記乳苗根鉢体を案内する押し出し手段毎に設けられた落下シューターとを備え、押し出されたポット乳苗を自重により落下させて、圃場に波状移植することを特徴とする乳苗用移植機。
【請求項５】
底部に水分調整材を介して基布を敷設したことを特徴とする育苗槽。
【手続補正２】
【補正対象書類名】明細書
【補正対象項目名】０００９
【補正方法】変更
【補正の内容】
【０００９】
さらに、本発明の乳苗用移植機は、育苗箱は一列複数個で多数列のポット状苗室を備え、この育苗箱で育成したポット乳苗（乳苗根鉢体がポット形状の請求項１又は請求項２又は請求項３記載の緑化乳苗）を、該育苗箱ごと載置する手段と、該育苗箱を横一列ごとに取り出し部まで移動させる手段と、前記横一列のポット状苗室から一ポット毎に乳苗根鉢体を押し出す前記横一列のポット状苗室と同数の押し出し手段と、押し出された前記乳苗根鉢体を案内する押し出し手段毎に設けられた落下シューターとを備え、押し出されたポット乳苗を自重により落下させて、圃場に波状移植することを第４の特徴とする。また、本発明の育苗槽は、底部に水分調整材を介して基布を敷設したことを第５の特徴とする。
【手続補正３】
【補正対象書類名】明細書
【補正対象項目名】００１８
【補正方法】変更
【補正の内容】
【００１８】
次に、乳苗用移植機１のポット乳苗移植方法について説明する。
まず、ポット乳苗４が育苗されたポット式育苗箱２を、育苗箱載置台５に載置する。次に、このポット式育苗箱２を、育苗箱載置台５から外れないように載置台押さえ具５ａで押さえ、ポット式育苗箱２の両端に取り付けられたマージナル部２ａに係合された育苗箱送り歯車６を回転させ、所定の位置に移動させた後、根鉢体押し出しカム７を回転させ、シリンダー９を介して根鉢体押し出し棒８を取り出し部１６方向に摺動させる。


【手続補正４】
【補正対象書類名】明細書
【補正対象項目名】００１９
【補正方法】変更
【補正の内容】
【００１９】
摺動した根鉢体押し出し棒８は、育苗箱載置台ガイド５ｂの透孔を貫通し、ポット３底部の開口部からポット３内部に挿入され、乳苗根鉢体４ａの底部を押し出す。乳苗根鉢体４ａの底部を押し出されたポット乳苗は、崩壊することなく乳苗受け台１１上を案内され、底部を根鉢体押し出し棒８に支持されたまま乳苗落下シューター１１の斜面に当接される。尚、この押し出し手段（根鉢体押し出しカム７、根鉢体押し出し棒８、シリンダー９）による乳苗根鉢体４ａの押し出しタイミングは、一ポット毎に、根鉢体押し出しカム７によってずらされている。


【手続補正５】
【補正対象書類名】明細書
【補正対象項目名】００２０
【補正方法】変更
【補正の内容】
【００２０】
この状態で、根鉢体押し出しカム７の回転とシリンダー９の作用により、根鉢体押し出し棒８が、前記と逆方向に摺動し、当接していた根鉢体４ａの底部から離反する。根鉢体押し出し棒８の支持を失ったポット乳苗４は、落下シュータ１０の斜面に案内されて、自重により落下し、圃場１２に移植される。